(57)【要約】      （修正有）【課題】簡単な構造で、低コストで製作できる入浴時に着用する為の使い捨てタイプのメガネを提供する。【解決手段】メガネフレームはオール樹脂製とし、フロント部１のリムに嵌るレンズは射出成形し、成形後にレンズ表面に曇り止め処理を施して曇り止め層を形成したことを特徴とする。【選択図】図１
0003184849.tif 000002
【実用新案登録請求の範囲】
【請求項１】
入浴時に着用する為のメガネにおいて、メガネフレームはオール樹脂製とし、フロント部のリムに嵌るレンズは射出成形し、成形後にレンズ表面に曇り止め処理を施して曇り止め層を形成したことを特徴とする入浴用のメガネ。
【請求項２】
上記メガネフレームは樹脂製のフロント部を有し、該フロント部の中央連結部下側に鼻当てパットを取付け、フロント部の両側に形成した溝にフロント側継手部を嵌めて取付け、このフロント側継手部の両継手片にツル側継手部の継手片を嵌合し、そしてフロント側継手部の両継手片に形成した開口を有すピン穴にツル側継手部の継手片に突出したピンを嵌めて連結した請求項１記載の入浴用のメガネ。
【請求項３】
フロント部の両側に折り畳み出来るように取付けたツルにはツル側継手部を分岐してフロント側へ延ばすと共に先端部には２本の継手片を設け、そして上側継手片の上面には半球状の軸を突出し、下側継手片の下面には半球状の軸を突出し、フロント部両側に一体的に形成したヨロイ部には凹部を形成し、この凹部に両継手片を嵌めると共に上内面及び下内面に設けた軸受け溝に両軸を嵌合した請求項１記載の入浴用のメガネ。
【考案の詳細な説明】
【技術分野】
【０００１】
本考案は入浴する際に一時的に使用する使い捨てタイプの樹脂製メガネに関するものである。
【背景技術】
【０００２】
入浴する際には一般にメガネを外した状態で風呂に入る場合が多い。浴室内には湯気が充満してメガネのレンズは直ちに曇ってしまい、その為にメガネを着用して入浴してもメガネは役に立たない。しかし、近眼や老眼が過度にすすんだ人は眼鏡を外すならば、近くが見えにくくなり、鏡を見ても自分の顔がよく分からないこともある。ましてヒゲを剃ることは出来なくなってしまう。
【０００３】
従来においても、曇り止め処理を施したレンズを嵌めたメガネは知られている。すなわち、キャスティングしたレンズ表面にマチコートすることでレンズ表面を非常に細かい凹凸化し、この凹凸化した面に曇り止め処理が施されている。
しかし、このように曇り止め処理を施すことでメガネレンズは高価になり、使い捨てされる入浴用のメガネには適さない。
【０００４】
特開２０１１−１３６２８４号に係る「基材の表面に親水性を付与する方法、透光性材料の曇り止め組成物、親水性材料および親水性材料の製造法」は、
（１）遷移金属元素Ｍの塩またはアルコキシドと、Ｓｉ含有アルコキシドと、メソ細孔の鋳型となる構造規制剤と、を含み、記遷移金属元素Ｍが、Ｔｉ、Ｗ、Ｃｒ、Ｆｅ、Ｍｎ、Ｖ、Ｚｒ、ＮｂおよびＭｏよりなる群から選択される少なくとも１種を含む、原料液を準備する工程と、（２）基材の表面に前記原料液の塗膜を形成する工程と、（３）前記塗膜にＵＶ光を照射して前記構造規制剤を分解する工程とを含む、基材の表面に親水性を付与する方法である。
ここで、透光性材料としては眼鏡レンズが対象とされるが、コスト的には高くなり一時的に使う入用用のメガネには適さない。
【０００５】
一方、レンズを支持するメガネフレームにしても、従来の一般的な構造では製作コストは高くなり、使い捨てタイプのメガネには適さない。
【特許文献１】特開２０１１−１３６２８４号に係る「基材の表面に親水性を付与する方法、透光性材料の曇り止め組成物、親水性材料および親水性材料の製造法」
【考案の開示】
【考案が解決しようとする課題】
【０００６】
このように、近くがよく見えるように掛ける近眼や老眼用の矯正メガネは色々存在しているが、このメガネを入浴用として用いるには問題がある。本考案が解決しようとする課題はこの問題点であり、極めて簡単な構造とし、しかも低コストで製作できる入浴用のメガネを提供する。
【課題を解決するための手段】
【０００７】
本考案が対象とするメガネは入浴時に一時的に着用する為のメガネであり、その機能は鏡に向かった場合に自分の顔、身体がよく見えるようにする一種の視力補整用眼鏡である。すなわち、フロント部のリムには凸レンズ又は凹レンズが嵌っている。そして、浴室内に充満する湯気によってレンズが曇らないように曇り止め処理が施されている。ただし、本考案の曇り止め処理は工数がかからないように、レンズは射出成形し、成形された直後に曇り止め処理が施される。
【０００８】
ここで、フレームはオール樹脂製とし、射出成形したレンズはフロント部のリムに合わせてカットされる。フロント部は中央の連結部の両側にリムを設け、該連結部の下側には鼻当てパットを有している。そして、フロント部の両側端には継手部を介してツルが折畳み出来るように取付けられている。ここで、ツルの折畳み手段としては従来のように金属製の蝶番を使用せず、樹脂製の継手部とし、しかもネジは用いない。ただし、メガネフレームの具体的な形態並びに構造は限定しないことにする。
【考案の効果】
【０００９】
本考案の入浴用のメガネはオール樹脂製とし、樹脂製のフロント部、樹脂製の鼻当てパット、フロント部両側端に取付けられる樹脂製のフロント側継手部、そしてツル側継手部を一体成形した樹脂製のツルから構成し、これら各部品は全て嵌合して組立てられ、入浴用のメガネが構成される。その為に、メガネフレームの製作は簡単であり、コストも安くなる。また、オール樹脂製であることから、入浴時の使用でサビルことはない。特に、酸性の強い温泉水に対しても耐食性に優れている。
【００１０】
そして、リムに嵌るレンズは射出成形され、その後、表面に曇り止め処理が施されるが、従来のキャスティングにて成形し、このレンズにマチコートして表面を凹凸化し、凹凸化した表面に曇り止め処理を施す従来の方法に比較してコスト的に安くなる。その為に、使い捨てタイプの入浴用のメガネとして使用することが出来る。
【図面の簡単な説明】
【００１１】
【図１】本考案に係る入浴用メガネの平面図。
【図２】本考案に係る入浴用メガネの正面図。
【図３】本考案に係る入浴用メガネの側面図。
【図４】ツル側継手部を有すツル。
【図５】フロント側継手部を示す実施例。
【図６】レンズの断面拡大図。
【図７】本考案に係る入浴用メガネの平面図。
【図８】本考案に係る入浴用メガネの正面図。
【図９】本考案に係る入浴用メガネの側面図。
【図１０】ツル側継手部の拡大図。
【考案を実施するための形態】
【００１２】
図１、図２、図３は本考案に係る入浴用のメガネを構成するメガネフレームを示す実施例であり、図１は平面図、図２は正面図、図３は側面図をそれぞれ表している。同図において、１はフロント部、２はツル、３は鼻当てパット、４はフロント側継手部、５はツル側継手部、６はレンズを示している。
【００１３】
上記フロント部１は同図において黒塗りした部品であり、両リム７，７は中央の連結部８によって繋がれ、一体成形した樹脂製部品である。リム７，７には後で述べる曇り止め処理されたレンズ６，６が嵌っている。このフロント部１の連結部８の背面下側には鼻当てパット３，３が取付けられているが、両鼻当てパット３，３は取付け部９と共に一体成形されている。そして、取付け部９は概略山形をなし、上縁に沿って溝が設けられ、この溝に連結部８の下縁が嵌ることで取付けられている。
【００１４】
上記鼻当てパット３，３は概略山形をした取付け部９と共に一体成形された樹脂製であり、鼻当てパット３，３は取付け部９の背面側に対を成して形成されている。図４にはツル２を単独で示しているように、該ツル２は樹脂製とし、フロント側端部にはツル側継手部５を一体成形している。ツル２の内側から継手片１０を水平に突出し、この継手片１０の先端側にはピン１１，１１が上下方向に延びている。そして、継手片１０からフロント部側へ延びる端部３１を有し、該端部３１はツル２が開く際にフロント側継手部４に当たって開き度が規制されるようにしている。
【００１５】
図５はフロント側継手部４の拡大図を示す実施例である。該フロント側継手部４は概略Ｌ形をしたヨロイ部１２の内側には対を成す継手片１３，１３を有し、両継手片１３，１３の間には上記継手片１０が嵌るように隙間１４を設けている。
そして、両継手片１３，１３の先端にはピン穴１５，１５を貫通して形成し、該ピン穴１５，１５は開口している。
【００１６】
そして、ヨロイ部１２の表面側には冠１６を有し、該冠１６はヨロイ部１２とアーム１７にて連結すると共に、間には隙間１８を有している。
ところで、図５に示すフロント側継手部４，４はフロント部１の両側に取付けられる。フロント部１の両側には溝が形成され、この溝にアーム１７が嵌ると共にヨロイ部１２と冠１６の間に形成されている隙間１８にはフロント部１の側端が嵌合する。すなわち、ヨロイ部１２と冠１６にてフロント部１の側端は挟み込まれた状態でフロント側継手部４は取付けられる。
【００１７】
そして、フロント側継手部４にはツル２が取付けられるが、ツル側継手部５がフロント側継手部４と連結する。すなわち、ツル側継手部５の継手片１０はフロント側継手部４の両継手片１３，１３の間に形成される隙間１４に嵌り、そしてピン１１，１１は継手片１３，１３に形成しているピン穴１５，１５に嵌合する。ピン穴１５，１５は切欠き開口を有していて、ピン１１，１１は該開口を押し開いてピン穴１５，１５に嵌合する。そして、ピン１１，１１がピン穴１５，１５に嵌合して回転することでツル２は開閉することが出来る。
【００１８】
ところで、フロント部１のリム７にはレンズ６が嵌ることになるが、該レンズ６は射出成形される。一般的なレンズはキャスティングされるが、本考案では射出成形することで安価なレンズ６と成り、また射出成形後に曇り止め処理がし易くなる。すなわち、射出成形したレンズ６の表面は図６に断面拡大図を示しているように凹凸面１９と成っており、その為にそのままで曇り止め処理することで、曇り止め層２０は剥がれ落ちにくくなる。
【００１９】
このように、本考案に係る入浴用メガネはオール樹脂製とし、各構成部品は互いに嵌合して連結・組付けすることが出来るように構成している。ただし、前記実施例に示した構成部品、並びに嵌合形態はあくまで一具体例に過ぎず、この実施例に限定はしない。
【００２０】
図７、図８、図９は本考案に係る入浴用のメガネを構成するメガネフレームを示す他の実施例であり、図７は平面図、図８は正面図、図９は側面図をそれぞれ表している。同図において、２１はフロント部、２２はツル、２３は鼻当てパットを示している。そして、ツル２２にはツル側継手部２４をフロント部２１にはフロント側継手部２５を有している。
【００２１】
ツル側継手部２４はツル２２から分岐してフロント部方向へ延び、図１０に示すように先端は二又に分かれて継手片２６，２６を形成している。そして、上側継手片２６の上面には半球状の軸２７を突出し、同じく下側継手片２６の下面には半球状の軸２７を突出している。フロント側継手部２５には凹部が形成され、この凹部にツル側継手２４の先端に設けている両継手片２６，２６が嵌り、しかも該凹部の上下内面に形成した軸受け溝に軸２７，２７が嵌合する。
【００２２】
従って、ツル２２は継手部２４に設けた軸２７，２７を中心として旋回し、折畳むことが出来る。ところで、ツル端２８はフロント部両側に一体的に形成しているヨロイ部２９の先端との間に僅かな隙間３０を有し、すなわち、メガネを掛ける際にツル２２を開いた状態では、ツル端２８はヨロイ部２９先端に接していない。
【００２３】
その為に、該ツル２２を外方向へ押し開くことが出来、該メガネを掛けた状態ではツル端２８が押し開かれてヨロイ部２９の先端に接するまでツル側継手部２４が撓み変形することで開くことが出来る。そこで、ツル側継手部２４は元の状態に復元する為に、ツル２２を押し戻す弾性力が顔の側面から後頭部に付勢され、顔に掛けたメガネは安定する。
【符号の説明】
【００２４】
１   フロント部
２   ツル
３   鼻当てパット
４   フロント側継手部
５   ツル側継手部
６   レンズ
７   リム
８   連結部
９   取付け部
10   継手片
11   ピン
12   ヨロイ部
13   継手片
14   隙間  
15   ピン穴
16   冠
17   アーム
18   隙間
19   凹凸面
20   曇り止め層
21   フロント部
22   ツル
23   鼻当てパット
24   ツル側継手部
25   フロント側継手部
26   継手片
27   軸
28   ツル端
29   ヨロイ部
30   隙間
31   端部
【図１】
0003184849.tif 000003
【図２】
0003184849.tif 000004
【図３】
0003184849.tif 000005
【図４】
0003184849.tif 000006
【図５】
0003184849.tif 000007
【図６】
0003184849.tif 000008
【図７】
0003184849.tif 000009
【図８】
0003184849.tif 000010
【図９】
0003184849.tif 000011
【図１０】
0003184849.tif 000012